(57)【要約】【課題】二方向貫通式のエレベータにおいて、かごの前部側からかご上の作業台に乗り込むときでも後部側から乗り込むときでも直ちに操作スイッチ部の必要なスイッチ類を操作して安全な状態を確保することができるエレベータ装置を提供する。【解決手段】昇降路１内に設けられ、前面及び後面にそれぞれ出入口５ａ，５ｂを有する二方向貫通式のかご４と、保守点検の作業員が乗り込むためのかご４の上の作業台１２と、作業台１２の前部に設けられた第１の操作スイッチ部１３ａ、及び作業台１２の後部に設けられた第２の操作スイッチ部１３ｂとを備え、各操作スイッチ部１３ａ，１３ｂにかご上安全スイッチ、かご上点検スイッチ、照明スイッチが配設されている。作業員が作業台１２の前部に乗り込んだときには、第１の操作スイッチ部１３ａのスイッチ類を操作し、後部に乗り込んだときには、第２の操作スイッチ部１３ｂのスイッチ類を操作する。【選択図】    図１
2010137962.tif 000002
【特許請求の範囲】
【請求項１】
建屋の昇降路内に昇降移動可能に設けられ、前面及び後面にそれぞれ出入口を有する二方向貫通式のかごと、
前記かごの上部に設けられ、保守点検の作業員が乗り込むための作業台と、
前記作業台の前部と後部の各位置にそれぞれ設けられた、かご上安全スイッチ、かご上点検スイッチ、照明スイッチを含む操作スイッチ部と、
を具備することを特徴とするエレベータ装置。
【発明の詳細な説明】
【技術分野】
【０００１】
この発明は、かごの上の保守点検用作業台の構造を改良したエレベータ装置に関する。
【背景技術】
【０００２】
エレベータの昇降路内での保守点検にあたっては、作業員がエレベータホールの乗降口から昇降路内のかご上に乗り込み、そのかご上を足場として保守点検の作業を行なうのが一般的である（特許文献１参照）。
図３には一般的なエレベータの構成を概略的に示してある。建屋の昇降路１内の上部には巻上機２が設置され、この巻上機２にメインロープ３が巻き掛けられ、このメインロープ３を介して昇降路１内にかご４が吊り下げられている。かご４の前面には出入口５が設けられ、この出入口５にその開閉用のかごドア６が設けられている。
【０００３】
かご４は、巻上機２により駆動されて昇降路１内で上下に昇降移動する。昇降路１内の上部には制御盤７が設置され、この制御盤７によりかご４の運転が制御される。建屋の各階のエレベータホールにはそれぞれ乗降口８が設けられ、これら乗降口８にその開閉用のホールドア９がそれぞれ設けられている。
【０００４】
かご４の上部は、保守点検の作業員が乗り込むための作業台１２となっており、この作業台１２の上に操作スイッチ部１３が設けられている。操作スイッチ部１３には、図４に示すように、操作スイッチとしてのかご上安全スイッチ１４、かご上点検スイッチ１５、照明スイッチ１６などが配設されている。また、作業台１２の上には、かご４の上部やその周辺を照明する照明装置１７が設けられている。
【０００５】
操作スイッチ部１３は、かご４の前部側の位置に据え付けられている。そして、この操作スイッチ部１３に配設されたかご上安全スイッチ１４は、制御盤７に設けられている通常運転回路を開いてそれとは別の点検用の制御回路でかご４の運転を可能にするスイッチであり、かご上点検スイッチ１５は、かご４を必要に応じて通常運転速度より遅い点検運転速度で昇降移動させるためのスイッチである。また、照明スイッチ１６は照明装置１７を点灯させるスイッチであり、この照明スイッチ１６は、かご４が上昇して昇降路１の天井部に接近したときに、リミットスイッチを用いてかご４の移動を停止させてかご４の作業台１２と昇降路１の天井部との間に安全な頂部隙間を確保するためのスイッチを兼ねている。
さらに、例えば最上階のエレベータホールの乗降口８の脇には、点検作業用のメンテナンスユニット１９が設けられ、このメンテナンスユニット１９を作業員がエレベータホールにおいて操作することで昇降路１内のかご４の位置を調整することができるようになっている。
【０００６】
エレベータの保守点検時には、メンテナンスユニット１９を操作してかご４を図３に示すように例えば最上階に移動して停止させ、この状態で最上階の乗降口８のホールドア９を保守点検の作業員が手動で開き、その乗降口８から昇降路１内に入り、かご４の上部の作業台１２に乗り込む。
作業台１２に作業員が乗り込んだときには、直ちにかご上安全スイッチ１４および照明スイッチ１６を操作して安全を確保する。また、乗降口８のホールドア９を作業台１２に乗った作業員が手動で閉じ、第三者がその乗降口８から昇降路１内に転落するような危険を防止する。そしてこの状態で、かご上点検スイッチ１５を操作しながらエレベータに対する点検作業を進める。
かご上安全スイッチ１４や照明スイッチ１６は、乗降口８と隣接するかご４の前部に配設されているから、乗降口８から乗り込んだときに作業員が直ちに操作して安全を確保することができる。
ところで、図５に示すように、かご４の前面と後面とにそれぞれ出入口５ａ，５ｂが設けられ、これら出入口５ａ，５ｂにそれぞれかごドア６ａ，６ｂが設けられている二方向貫通式のかご４を備えるエレベータが一般的に知られている。このような二方向貫通式のエレベータは荷物用や駅舎用のエレベータに多く採用されている。この二方向貫通式のエレベータにおいては、建屋の例えば１階および２階のエレベータホールにかご４の前面の出入口５ａと対向可能な乗降口８ａが設けられ、最上階（３階）のエレベータホールにかご４の後面の出入口５ｂと対向可能な乗降口８ｂが設けられている。そして、各乗降口８ａ，８ｂにそれぞれその開閉用のホールドア９ａ，９ｂが設けられている。
【特許文献１】特開昭６２−２２２９８７
【発明の開示】
【発明が解決しようとする課題】
【０００７】
図５に示すような二方向貫通式のエレベータに対する保守点検に当っては、かご４を最上階に移動して停止させ、その最上階の乗降口８ｂからかご４の上部の作業台１２の上に作業員が乗り込む場合と、かご４を最上階より下階の例えば２階に移動して停止させ、その２階の乗降口８ａからかご４の上部の作業台１２の上に作業員が乗り込む場合とがある。
【０００８】
最上階の乗降口８ｂから作業員が乗り込む場合には、その乗降口８ｂがかご４の後部側（図中右側）に向いているから、作業員は作業台１２の後部側から乗り込むことになる。
【０００９】
ところが、作業台１２の上の操作スイッチとしてのかご上安全スイッチ１４、かご上点検スイッチ１５、照明スイッチ１６は作業台１２の前部側の位置に配設されており、したがってかご４を最上階に停止させて作業員が作業台１２の後部に乗り込む場合には、作業員が作業台１２の後部から前部に移動して、その前部の操作スイッチ部１３のスイッチ類を操作しなければならない。操作スイッチ部１３の照明スイッチ１６を操作するまでは、作業台１２の上は暗く、このため作業員が後部から前部に移動する間につまずいて転倒したり、作業台１２から転落したりする可能性がある。
【００１０】
また、乗降口８ｂから作業員が乗り込んだ後にはその乗降口８ｂのホールドア９ｂを作業員が手動で閉じるべきであるが、ホールドア９ｂを閉じると作業台１２の上がより暗くなるためホールドア９ｂを開けっ放しのまま放置してしまう恐れがあり、この結果、乗降口８ｂから第三者が昇降路１内に転落する恐れがある。
【００１１】
ただし、実際には、エレベータホール側に作業員が作業中であることを第三者に示す作業札や、乗降口付近を覆う作業柵を設けて作業空間を第三者から隔離する安全対策が取られる。
この発明はこのような点に着目してなされたもので、その目的とするところは、二方向貫通式のエレベータにおいて、かごの前部側からかご上の作業台に乗り込むときでも後部側から乗り込むときでも直ちに操作スイッチ部の必要なスイッチ類を操作して安全な状態を確保することができるエレベータ装置を提供することにある。
【課題を解決するための手段】
【００１２】
このような目的を達成するために、この発明は、建屋の昇降路内に昇降移動可能に設けられ、前面及び後面にそれぞれ出入口を有する二方向貫通式のかごと、前記かごの上部に設けられ、保守点検の作業員が乗り込むための作業台と、前記作業台の前部と後部の各位置にそれぞれ設けられた、かご上安全スイッチ、かご上点検スイッチ、照明スイッチを含む操作スイッチ部とを具備することを特徴としている。
【発明の効果】
【００１３】
この発明によれば、二方向貫通式のエレベータにおいて、かごの前部側からかご上の作業台に乗り込むときでも後部側から乗り込むときでも直ちに操作スイッチ部の必要なスイッチ類を操作して安全な状態を確保することができる。
【発明を実施するための最良の形態】
【００１４】
以下、この発明の実施の形態について図１及び図２を参照して説明する。なお、従来の構成と対応する部分には同一符号を付して重複する説明を省略する。
【００１５】
図１には二方向貫通式エレベータの全体構成図を、図２にはそのエレベータのかごの平面図をそれぞれ示してある。この実施形態におけるかご４の上部の作業台１２には、第１の操作スイッチ部１３ａと第２の操作スイッチ部１３ｂとが設けられている。第１の操作スイッチ部１３ａはかご４の前部の位置に配置され、第２の操作スイッチ部１３ｂはかご４の後部の位置に配置されている。そして、これら第１及び第２の操作スイッチ部１３ａ，１３ｂにそれぞれかご上安全スイッチ１４、かご上点検スイッチ１５、照明スイッチ１６が配設されている。
【００１６】
この二方向貫通式エレベータが設置された建屋には、例えば１階及び２階にかご４の前面の出入口５ａと対向可能な乗降口８ａが設けられ、最上階（３階）にかご４の後面の出入口５ｂと対向可能な乗降口８ｂが設けられている。そして例えば２階の乗降口８ａ及び最上階の乗降口８ｂの脇にそれぞれメンテナンスユニット１９が設けられている。
【００１７】
この二方向貫通式エレベータにおいて、例えば２階の乗降口８ａから作業員が昇降路１内に入り込んで保守点検の作業を行なう場合には、かご４を２階の乗降口８ａの位置に停止させ、その２階の乗降口８ａのホールドア９ａを作業員が手動で開いて昇降路１内に入り、かご４の上部の作業台１２に乗り込む。
この場合、作業員は作業台１２の前部に乗り込むことになるが、作業台１２の前部には第１の操作スイッチ部１３ａが設けられているから、その乗り込み後に直ちに第１の操作スイッチ部１３ａのかご上安全スイッチ１４および照明スイッチ１６を操作することができる。
【００１８】
そして、照明スイッチ１６の操作により照明装置１７が点灯し、かご４の上部及びその周辺が明るく照らされ、安全が確保される。また、作業員が作業台１２の上に乗り込んだときには、その乗り込み後の乗降口８ａのホールドア９ａを手動で閉じる。この際、ホールドア９ａを閉じても、かご４の上部及びその周辺の明るさは照明装置１７の点灯により確保されており、したがってホールドア９ａを閉じることに不都合がなく、これによりホールドア９ａを開けっ放しのまま放置するようなことがなくなる。そして、ホールドア９ａを閉じることにより、第三者が乗降口８ａから昇降路１内に転落する危険を防止することができる。このように、作業台１２の上の安全を確保した状態において、かご上点検スイッチ１５を操作しながらエレベータに対する点検作業を進める。
一方、エレベータの保守点検を最上階（３階）の乗降口８ｂから作業員が昇降路１内に入り込んで行なう場合には、かご４を最上階の乗降口８ｂの位置に停止させ、その乗降口８ｂのホールドア９ｂを作業員が手動で開いて昇降路１内に入り、かご４の上部の作業台１２に乗り込む。
この場合には、作業員は作業台１２の後部に乗り込むことになるが、作業台１２の後部には第２の操作スイッチ部１３ｂが設けられているから、その乗り込み後に直ちに第２の操作スイッチ部１３ｂのかご上安全スイッチ１４および照明スイッチ１６を操作することができる。
【００１９】
そして、照明スイッチ１６の操作により照明装置１７が点灯し、かご４の上部及びその周辺が明るく照らされ、安全が確保される。また、作業員が作業台１２の上に乗り込んだときには、その乗り込み後の乗降口８ｂのホールドア９ｂを手動で閉じる。この際、ホールドア９ｂを閉じても、かご４の上部及びその周辺の明るさは照明装置１７の点灯により確保されており、したがってホールドア９ｂを閉じることに不都合がなく、これによりホールドア９ｂを開けっ放しのまま放置するようなことがなくなる。そして、ホールドア９ｂを閉じることにより、第三者が乗降口８ｂから昇降路１内に転落する危険を防止することができる。このように、作業台１２の上の安全を確保した状態において、かご上点検スイッチ１５を操作しながらエレベータに対する点検作業を進める。
以上のようにこの実施形態によれば、作業台１２の前部と後部の各位置にそれぞれかご上安全スイッチ１４や照明スイッチ１６が設けられており、したがってかご４の前部側から作業台１２に乗り込む場合でも、後部側から作業台１２に乗り込む場合であっても、その乗り込みの直後に直ちにかご上安全スイッチ１４や照明スイッチ１６を操作して安全な状態を確保することができる。
【図面の簡単な説明】
【００２０】
【図１】この発明の一実施形態に係るエレベータ装置の全体構成図。
【図２】そのエレベータ装置のかごの平面図。
【図３】従来一般のエレベータ装置の全体構成図。
【図４】そのエレベータ装置のかごの平面図。
【図５】従来の二方向貫通式エレベータ装置の全体構成図。
【符号の説明】
【００２１】
１…昇降路
２…巻上機
３…メインロープ
５ａ．５ｂ…出入口
６ａ．６ｂ…かごドア
７…制御盤
８ａ．８ｂ…乗降口
９ａ．９ｂ…ホールドア
１２…作業台
１３ａ…第１の操作スイッチ部
１３ｂ…第２の操作スイッチ部
１４…かご上安全スイッチ
１５…かご上点検スイッチ
１６…照明スイッチ
１７…照明装置
１９…メンテナンスユニット
【図１】
2010137962.tif 000003
【図２】
2010137962.tif 000004
【図３】
2010137962.tif 000005
【図４】
2010137962.tif 000006
【図５】
2010137962.tif 000007